(57)【特許請求の範囲】
【請求項１】
流体の収容される容器の開口部に着脱可能に取り付けられるキャップ本体と、該キャップ本体の前記開口部に対向する位置に設けられる少なくとも一つの貫通孔と、前記キャップ本体内に配され、該キャップ本体の前記開口部への装着時に、前記開口部に押圧されて移動し、前記貫通孔を閉塞する平板状の移動部と、前記移動部に設けられる少なくとも一つの通気孔と、前記キャップ本体内で前記移動部を前記貫通孔から離間させる方向に押圧するばね手段とを備え、前記通気孔は前記貫通孔と非対向位置に設けられていることを特徴とするキャップ。
【請求項２】
前記キャップ本体の内周面には、前記移動部の移動方向に沿う少なくとも一つの溝が設けられ、前記移動部の縁部には、前記溝内へ係入する回転防止用の突起が設けられていることを特徴とする請求項１記載のキャップ。
【請求項３】
前記キャップ本体の周面の対向位置に、少なくとも一対の貫通孔が、更に設けられることを特徴とする請求項１又は請求項２に記載のキャップ。
【発明の詳細な説明】
【０００１】
【発明の属する技術分野】
本発明は、容器に収容された流体の漏れを防止するために該容器の開口部を覆って封止するキャップに関し、特に、容器の開口部に対向する位置に呼吸が可能な貫通孔が設けられるキャップに関する。
【０００２】
【従来の技術】
流体が収容された容器の開口部を封止するために、キャップが用いられている。このキャップによって、容器内の流体の漏れを防止することができる。
【０００３】
【発明が解決しようとする課題】
ところで、前記したような従来のキャップは、例えば幼児が誤って飲み込んだ場合、気管を閉塞するため、呼吸ができず、非常に危険であった。
そのため、一旦このような事態が発生した場合、気管から取り出すまでの間に呼吸が可能なキャップが望まれていた。
【０００４】
【課題を解決するための手段】
本発明は、以上の点を解決するために、次の構成を採用する。
〈構成１〉本願の第一発明に係るキャップは、流体の収容される容器の開口部に着脱可能に取り付けられるキャップ本体と、該キャップ本体の前記開口部に対向する位置に設けられる少なくとも一つの貫通孔と、前記キャップ本体内に配され、該キャップ本体の前記開口部への装着時に、前記開口部に押圧されて移動し、前記貫通孔を閉塞する平板状の移動部と、前記移動部に設けられる少なくとも一つの通気孔と、前記キャップ本体内で前記移動部を前記貫通孔から離間させる方向に押圧するばね手段とを備え、前記通気孔は前記貫通孔と非対向位置に設けられていることを特徴とする。
【０００５】
〈作用１〉
第一発明に係るキャップでは、キャップ本体が容器の開口部へ装着されると、開口部が移動部を押圧して移動させ、貫通孔を閉塞させる。これにより、容器の開口部を確実に封止し、流体の漏れを防止することができる。
一方、キャップ本体を開口部から外すと、ばね手段が移動部に貫通孔から離間させる方向へ押圧力を与えるので、移動部が貫通孔から離れる。これにより、貫通孔が開放され、貫通孔と通気孔とが連通するので、キャップを誤って飲み込んでも呼吸を続けることができる。
【０００６】
更に、キャップ本体の内周部に、移動部の移動方向に沿う少なくとも一つの溝を設け、移動部の縁部に、溝内へ係入する回転防止用の突起を設けることができる。
このように突起を溝内へ係入することにより、貫通孔と通気孔とがほぼ同一円周上に設けられていても、移動部のキャップ本体内の回転が防止されるので、貫通孔と通気孔との整合を防止して流体の漏れを防ぐことができる。
【０００７】
〈構成２〉
本願の第二発明に係るキャップは、流体の収容される容器の開口部に着脱可能に取り付けられるキャップ本体と、該キャップ本体の前記開口部に対向する位置に設けられる少なくとも一つの貫通孔と、キャップ本体内に配され、該キャップ本体の開口部への装着時に、開口部を封止し、人的な吸気によって破断可能なフィルムとを備えることを特徴とする。
【０００８】
〈作用２〉
第二発明に係るキャップでは、キャップ本体の開口部への装着時に、フィルムは、容器の開口部を封止する。これにより、容器内の流体の漏れを確実に防止することができる。
一方、キャップ本体を開口部から外すと、フィルムは、人的な吸気によって破断することが可能である。これにより、キャップを飲み込んだ場合でも、フィルムを破断し、貫通孔を通して呼吸することができる。
【０００９】
〈構成３〉
本願の第三発明に係るキャップは、流体の収容される容器の開口部に着脱可能に取り付けられるキャップ本体と、該キャップ本体の開口部に対向する部分から突出して、キャップ本体の開口部への装着時に、開口部を閉塞する閉塞部と、キャップ本体の開口部に対向する位置に設けられる少なくとも一つのキャップ本体を介して呼吸を可能とする貫通孔とを備えることを特徴とする。
【００１０】
〈作用３〉
第三発明に係るキャップでは、キャップ本体の開口部への装着時に、閉塞部は、容器の開口部を閉塞する。これにより、開口部を確実に封止し、容器内の流体の漏れを防止することができる。
また、キャップ本体を外すと、貫通孔はキャップ本体を介して呼吸を可能とする。これにより、キャップが飲み込まれても呼吸をすることができる。
【００１１】
更に、本願の第一、第二及び第三発明に係るキャップに対して、キャップ本体の周面の対向位置に、少なくとも一対の貫通孔を更に設けることができる。
これにより、より確実な呼吸を可能とすることができる。
【００１２】
【発明の実施の形態】
以下、本発明を図示の実施の形態について詳細に説明する。
〈具体例１〉
図１は、本願の第一発明に係る具体例のキャップと開口部とを示す断面図である。図１（ａ）は、本発明に係るキャップを示す断面図であり、図１（ｂ）は、本発明に係る容器の開口部を示す断面図である。
図２は、本願の第一発明に係る具体例のキャップを示す平面図である。
即ち、図１（ａ）は、図２のI-I線沿って得られた断面図である。
本発明に係るキャップ１０は、図１及び図２に示されているように、円筒形状を有するキャップ本体１１と、該キャップ本体１１内に移動可能に配され、円板形状を有するプラスチック材から成る移動部１２とを含む。
【００１３】
キャップ本体１１は、流体を収容している容器の円筒状の開口部１３の開口１３ａに対向する天壁部１４と、開口部１３の周面１３ｂに螺合される筒部１５とを備える。
天壁部１４には、二つの円形の貫通孔１６，１６が同心円上に設けられており、天壁部１４の下面には、貫通孔１６の一部を形成する突起１７が設けられている。
【００１４】
筒部１５の内周面には、開口部１３のねじ部１３ｃと螺合するための螺合部１８が設けられている。
また、筒部１５の内周面には、二つの突起部１９，１９が設けられている。この突起部１９は、移動部１２のキャップ本体１１内からの落下を防止している。これにより、移動部１２は、天壁部１４と突起部１９との間で移動が規制される。
【００１５】
この移動部１２には、ばね手段２０と、二つの同心円上の通気孔２１，２１とが設けられている。
ばね手段２０は、移動部１２の中央に一体的に形成される突出部からなり、天壁部１４への押圧で弾性変形する。
通気孔２１は、図２に示されているように、円形を有し、貫通孔１６と非対向する位置に設けられている。
【００１６】
次に、キャップ本体１１を開口部１３へ装着させる動作を述べる。
従来と同様に、キャップ本体１１を回し、開口部１３のねじ部１３ｃに螺合部１８を螺合させる。
キャップ本体１１を螺合させると、移動部１２は、開口部１３に押圧されて上動し、突起１７に押し付けられ、貫通孔１６を閉塞する。それと共に、ばね手段２０が変形する。
これにより、キャップ本体１１からの流体の漏れを確実に防止することができる。
【００１７】
続いて、装着したキャップ本体１１を開口部１３から外すと、変形しているばね手段２０は、元の形状に戻るまで、移動部１２に天壁部１４から離間する方向への押圧力を与えているので、移動部１２は、貫通孔１６から離れ、これにより、閉塞されていた貫通孔１６が開放される。
従って、通気孔２１及び貫通孔１６が連通するので、キャップ１０が幼児に誤って飲み込まれても、通気孔２１及び貫通孔１６を介して、呼吸をすることができる。
【００１８】
〈具体例１の変形例１〉
貫通孔と通気孔とが同心円上に設けられた場合、移動部が回転して、貫通孔と通気孔とが整合し、流体が漏れる虞れがある。
図３は、第一発明に係る具体例の変形例１のキャップを示す平面図及び断面図である。図３（ａ）は、変形例１のキャップの断面図であり、図３（ｂ）は、変形例１のキャップの平面図である。
この変形例１において、具体例１と同一部分には同一符号を付してその説明を省略する。
本発明に係るキャップ３０は、図３に示されているように、キャップ本体３１及び移動部３２を備える。
【００１９】
キャップ本体３１の筒部３３の内周部の対向する位置には、一対の溝３４，３４が、移動部３２の移動方向に沿って設けられている。
移動部３２の縁部の対向する位置には、一対の突起３５，３５が設けられている。各突起３５が、それぞれ、溝３４に係入可能となっている。
また、貫通孔１６及び通気孔２１は、図３（ｂ）に示されているように、それぞれ、同一円周３６上に位置し、９０度間隔で設けられている。
【００２０】
さて、移動部３２の突起３５を溝３４に係入すると、移動部３２のキャップ本体３１内での回転を防止することができる。これにより、例えば製造作業の簡素化のために、貫通孔１６及び通気孔２１を共に同一円周３６に設けた場合でも、貫通孔１６と通気孔２１とが整合することがないので、貫通孔１６を移動部３２により確実に閉塞することができる。
【００２１】
〈具体例１の変形例２〉
容器内の流体が開口部から通気孔を通してキャップ本体の天壁部と移動部との間に入ることを防止するために、次の変形例を採用する。
図４は、第一発明に係る具体例の変形例２のキャップを示す断面図である。
この例において、上記変形例１と同様に、具体例１と同一部分には同一符号を付してその説明を省略する。
本発明に係るキャップ４０は、図４に示されているように、キャップ本体４１と、移動部４２とを備える。
【００２２】
キャップ本体４１の天壁部４３及び移動部４２には、貫通孔１６及び通気孔２１が、それぞれ、具体例１と同様な位置に設けられている。
更に、移動部４２には、貫通孔１６を閉塞するための環状の突出部４４が設けられ、天壁部４３には、通気孔２１を閉塞するための環状の突出部４５が設けられている。
【００２３】
キャップ本体４１が開口部１３へ（図１参照）装着されると、貫通孔１６が突出部４４により閉塞されると共に、通気孔２１も突出部４５により閉塞されるので、流体がキャップ本体４１と移動部４２との間に形成される空間に入ることを防止することができる。
従って、キャップ４０を飲み込んだ場合、吸気によって流体が気管に入る問題の発生が無い。
【００２４】
〈具体例１の変形例３〉
図５は、第一発明に係る具体例の変形例３のキャップを示す断面図である。
この例において、具体例１と同一の部分に同一の符号を付してその説明を省略する。
本発明に係るキャップ５０は、図５に示されているように、キャップ本体５１及び移動部５２を備える。
【００２５】
キャップ本体５１の天壁部５３には、通気孔２１を閉塞するための環状の突出部５４が設けられている。
キャップ本体５１の筒部５５には、一対の貫通孔５６，５６が設けられている。この一対の貫通孔５６，５６は、天壁部５３の近傍に対向して位置している。
【００２６】
キャップ本体５１を開口部１３へ（図１参照）装着させる際、移動部５２が開口部１３に押圧されて貫通孔１６を閉塞すると共に、突出部５４が通気孔２１を閉塞する。
【００２７】
ところで、キャップが飲み込まれた状態で、貫通孔１６が気管の壁面に閉塞されていると、該貫通孔１６及び通気孔２１を介する呼吸が不可能となる。
しかしながら、図５に示す例では、一対の他の貫通孔５６，５６が、筒部５５側にも設けられているので、これらの貫通孔５６，５６を通して、呼吸を続けることができる。
【００２８】
〈具体例２〉
図６は、本願の第二発明に係る具体例のキャップを示す断面図である。図６（ａ）は、第二発明に係る具体例のキャップの断面図であり、図６（ｂ）は、図６（ａ）のII−II線に沿って得られたキャップの平面断面図である。
本発明に係るキャップ６０は、図６に示されているように、円筒形を有するキャップ本体６１と、該キャップ本体内に配されるフィルム６２とを含む。
【００２９】
キャップ本体６１は、容器の開口部（図１参照）に対向する天壁部６３と、開口部に螺合される筒部６４とを備える。
天壁部６３には、一対の貫通孔６５，６５が設けられている。
筒部６４の内周面には、天壁部６３の近傍に位置する環状の突起部６６が設けられている。また、この突起部６６の下方位置には、開口部と螺合するための螺合部６７が設けられている。
【００３０】
フィルム６２は、人間の吸気力で破断可能な薄膜から成り、例えば超音波によって、突起部６６の上面に固着されている。
フィルム６２には、図６（ｂ）に示されているように、十字状の極薄線部６８が、中央部分及び貫通孔６５の対向部分に形成されている。
【００３１】
図６に示す例では、キャップ本体６１が開口部へ装着された場合、フィルム６２が開口部を封止するので、容器内の流体の漏れを防止することができる。
一方、キャップ６０を幼児が誤って飲み込んだ場合、吸気力により、極薄線部６８位置でフィルム６２が破断するので、貫通孔６５を通して、呼吸をすることができる。
【００３２】
〈具体例２の変形例１〉
第二発明に係る具体例では、フィルムをキャップ本体内に直接的に設けるので、その固着作業が困難である。
図７は、本願の第二発明に係る具体例の変形例１のキャップを示す断面図である。
この例において、上記具体例２と同一部分に同一符号を付してその説明を省略する。
本発明に係るキャップ７０は、図７に示されているように、キャップ本体７１と、該キャップ本体７１内に配されているフィルム６２とを含む。
【００３３】
キャップ本体７１は、貫通孔６５が設けられている上方部分７２と、螺合部６７が設けられている筒状の下方部分７３とを備える。上方部分７２の下端部７２ａは、下方部分７３の開口する上端部７３ａに嵌合される。
フィルム６２は、下方部分７３の上端部７３ａの端面上に、接着剤７４を介して固定されており、上端部７３ａの開口を封止する。
【００３４】
図７に示す例では、フィルム６２を下方部分７３の上端部７３ａの端面上に固定させた後、キャップ本体７１を上方部分７２及び下方部分７３の嵌合により形成させるので、フィルム６２の取付作業が容易となる。
【００３５】
〈具体例２の変形例２〉
図８は、本願の第二発明に係る具体例の変形例２のキャップを示す断面図である。
この例において、具体例２と同一部分には同一符号を付してその説明を省略する。
本発明に係るキャップ８０は、図８に示されているように、キャップ本体８１と、該キャップ本体８１内に配されているフィルム６２とを含む。
【００３６】
キャップ本体８１は、上方部分８２と、下方部分８３とを備える。
上方部分８２は、貫通孔６５が設けられている天壁部８４と、下方部分８３に嵌合する筒部８５とを有する。
【００３７】
筒部８５には、更に、一対の貫通孔８６が設けられている。これらの貫通孔８６は、周面に沿った長穴から形成されている。
筒部８５の内周面には、環状の突出部８７が設けられている。この突出部８７は、貫通孔８６の下方に位置している。
また、筒部８５の内周面には、突出部８７の下方に位置している凹所８８が設けられている。
下方部分８３の上端部８３ａの外周面には、凹所８８に嵌入するための突起８９が設けられている。
【００３８】
図８に示す例では、フィルム６２を下方部分８３の上端部８３ａの端面を覆うように配し、上端部８３ａに上方部分８２を嵌合させると、突起８９が凹所８８へ嵌入する。この状態では、フィルム６２は上端部８３ａと突出部８７とにより挟持されて固定される。
これにより、接着剤や超音波などを用いることなく、フィルム６２を取付けることができる。
【００３９】
〈具体例３〉
図９は、本願の第三発明に係る具体例のキャップと開口部とを示す断面図である。図９（ａ）は、本発明に係る具体例のキャップの断面図であり、図９（ｂ）は、本発明に係る具体例の開口部の断面図である。
本具体例に用いられる容器の開口部９２は、図９（ｂ）に示されているように、中央に位置する小径の開口９２ａと周面のねじ部９２ｂとを有する。
【００４０】
本発明に係るキャップ９０は、図９（ａ）に示されているように、円筒状のキャップ本体９１を含む。
キャップ本体９１は、天壁部９３と、筒部９４とを備える。
天壁部９３は、開口９２ａに対向する中央位置に設けられ、該開口９２ａを閉塞するための突起状の閉塞部９５と、一対の同心円周に設けられている貫通孔９６，９６とを有している。
筒部９４の内周面には、開口部９２のねじ部９２ｂと螺合するための螺合部９７が設けられている。
【００４１】
図示の例では、ねじ部９２ｂと螺合部９７との螺合により、キャップ本体９１を開口部９２へ装着させると、閉塞部９５は、開口９２ａへ挿入して該開口９２ａを閉塞する。これにより、容器内に収容された流体の漏れを確実に防止することができる。
また、キャップ本体９１を飲み込んだ場合、貫通孔９６を通して、呼吸を可能とすることができる。
【００４２】
〈具体例３の変形例〉
図１０は、本願の第三発明に係る具体例の変形例を示す断面図である。図１０（ａ）は、第三発明に係る具体例の変形例のキャップの断面図であり、図１０（ｂ）は、第三発明に係る具体例の変形例の開口部の断面図である。
この例において、上記具体例３と同一部分には同一符号を付してその説明を省略する。
本変形例に用いられる容器の開口部１０２は、図１０（ｂ）に示されているように、中央に位置する突起部１０３と、周面に位置するねじ部１０４とを有する。
突起部１０３は、小径の開口１０３ａを形成する。
【００４３】
本発明に係るキャップ１００は、図１０（ａ）に示されているように、キャップ本体１０１を含む。
キャップ本体１０１は、一対の貫通孔９６が設けられている天壁部１０５と、螺合部９７が設けられている筒部１０６とを備える。
天壁部１０５の中央位置には、突出部分から成る閉塞部１０７が設けられている。
筒部１０６には、更に一対の貫通孔１０８，１０８が設けられている。この一対の貫通孔１０８は、螺合部９７の上方に位置している。
【００４４】
キャップ本体１０１を開口部１０２へ装着させると、閉塞部１０７は、突起部１０３を覆うように当接する。これにより、開口１０３ａが閉塞されるので、流体の漏れを防ぐことができる。
また、キャップ１００が飲み込まれて、貫通孔９６が気管の壁面に閉塞された場合、一対の貫通孔１０８が連通するので、呼吸を続けることができる。
【００４５】
【発明の効果】
本願発明では、キャップ本体が容器の開口部へ装着された場合、開口部の開口を封止し、容器内の流体の漏れを防止することができる。
また、キャップを幼児が誤って飲み込んだ場合、貫通孔を通して、呼吸を可能とすることができる。
【図面の簡単な説明】
【図１】本願の第一発明に係る具体例のキャップと開口部とを示す断面図である。
【図２】本願の第一発明に係る具体例のキャップを示す平面図である。
【図３】本願の第一発明に係る具体例の変形例１のキャップを示す平面図及び断面図である。
【図４】本願の第一発明に係る具体例の変形例２のキャップを示す断面図である。
【図５】本願の第一発明に係る具体例の変形例３のキャップを示す断面図である。
【図６】本願の第二発明に係る具体例のキャップを示す断面図である。
【図７】本願の第二発明に係る具体例の変形例１のキャップを示す断面図である。
【図８】本願の第二発明に係る具体例の変形例２のキャップを示す断面図である。
【図９】本願の第三発明に係る具体例のキャップと開口部とを示す断面図である。
【図１０】本願の第三発明に係る具体例の変形例のキャップ及び開口部を示す断面図である。
【符号の説明】
１０，３０，４０，５０，６０，７０，８０，９０，１００  キャップ
１１，３１，４１，５１，６１，７１，８１，９１，１０１  キャップ本体
１２，３２，４２，５２  移動部
１３，９２，１０２  開口部
１６，６５，９６  貫通孔
２０  ばね手段
２１  通気孔
３４  溝
３５  突起
６２  フィルム
９５，１０７  閉塞部
５６，８６，１０８  貫通孔
【図１】
0004467681.tif 000002
【図２】
0004467681.tif 000003
【図３】
0004467681.tif 000004
【図４】
0004467681.tif 000005
【図５】
0004467681.tif 000006
【図６】
0004467681.tif 000007
【図７】
0004467681.tif 000008
【図８】
0004467681.tif 000009
【図９】
0004467681.tif 000010
【図１０】
0004467681.tif 000011